(57)【要約】【課題】略球面上に画像を表示することによって演出効果を向上させた表示装置、それを用いた遊技機およびメダル貸出機を提供する。【解決手段】表示装置２は、発光ダイオード群２０，２１が配列された回転部１０と、回転部１０を回転自在に軸支する固定軸１１と、固定軸１１を回転中心として回転部１０を回転させる回転駆動部３０と、回転部１０の回転位置に基づいて発光ダイオード群２０，２１の点灯を制御する制御手段５１とを備えている。回転部１０は、回転中心線ＣＬに関して対称であって円弧形状の側面を有する板形状の回転板１２を備え、回転板１２の両側の円弧形状の側面には発光ダイオード２０ａ〜２０ｏ，２１ａ〜２１ｏが配置されている。また、回転部１０の背面側には鏡部６０が配置されている。表示装置２は、スロットマシン７０およびメダル貸出機９０に取り付けられて使用される。【選択図】        図１
2004254946.tif 000002
【特許請求の範囲】
【請求項１】
遊技機で使用するメダルを貸し出すメダル貸出機または遊技機に用いられる表示装置であり、複数の発光素子が配列された回転部と、前記回転部を回転自在に軸支する固定軸と、前記固定軸を回転中心として前記回転部を回転させる回転駆動手段と、前記発光素子の点灯を前記回転部の回転位置に基づいて制御する制御手段とを備える表示装置において、
前記回転部は、前記固定軸に関して対称であって円弧形状の側面を有する板形状の回転板を備え、この回転板の両側の前記円弧形状の側面には前記複数の発光素子が配列されていることを特徴とする表示装置。
【請求項２】
前記回転部の背面側に配置された鏡部を備え、前記背面側において前記複数の発光素子が発した光が、前記鏡部によって反射されて画像の表示に用いられることを特徴とする請求項１記載の表示装置。
【請求項３】
前記鏡部は、互いに直交する２つの反射板によって形成されていることを特徴とする請求項２記載の表示装置。
【請求項４】
前記複数の発光素子は、前記回転板の一方の側面に配列された前記発光素子と、前記回転板の他方の側面に配列された前記発光素子とが異なる色を発光することを特徴とする請求項１乃至請求項３のいずれかに記載の表示装置。
【請求項５】
表示装置用窓を備える筐体と、前記表示装置用窓から見える範囲内を前記発光素子が移動するように前記筐体に取り付けられた請求項１乃至請求項４のいずれかに記載の表示装置とを有する遊技機。
【請求項６】
表示装置用窓を備える筐体と、前記表示装置用窓から見える範囲内を前記発光素子が移動するように前記筐体に取り付けられた請求項１乃至請求項４のいずれかに記載の表示装置とを有するメダル貸出機。
【発明の詳細な説明】
【０００１】
【発明の属する技術分野】
本発明は、遊技機で使用するメダルを貸し出すメダル貸出機または遊技機に用いられる表示装置、それを用いた遊技機およびメダル貸出機に関する。
【０００２】
【従来の技術】
最近のスロットマシンでは、図柄の表示に使用される３本のリールとは別に設けられた表示装置により、ゲームの経過や、当選役が内部入賞したときに当選役の種類に応じた表示を行ってゲームの雰囲気を盛り上げる効果を出しているものがある。このような表示装置では、発光ダイオード等の発光素子を用いて表示領域全体に多数の発光素子を密に配置するのが一般的であり、例えば縦方向６４個横方向３２個といった膨大な数の発光素子が配置されている。
【０００３】
一方、スロットマシンに投入されるメダルの貸出を行うメダル貸出機は、紙幣投入口から紙幣が投入されると、投入された紙幣の金額に応じた枚数のメダルをメダル受取部に送出する。この際、紙幣投入口の下方に設けられた表示装置においても、前述したスロットマシンの表示装置と同様に、発光ダイオードなどの発光素子を表示領域全体に密に配置して形成されたものが用いられることがある。
【０００４】
このような表示装置では、膨大な数の発光素子を必要とするためにコストが高くなるという問題があった。また、これらの発光素子は同一平面上に配置されているので面白みに欠けるという欠点があった。
【０００５】
このような問題を解決するために、発光素子がライン上に配置された回転部と、この回転部を回転自在に軸支する固定軸とを備え、この固定軸を中心にして回転部を回転させることにより、残像効果を利用して少ない数の発光素子で表示を行なうことを可能にし、かつ表示面が円筒面等の曲面になることにより演出効果を向上させた表示装置が本出願人から出願されている（特許文献１）。
【０００６】
【特許文献１】
特願２００２−２６９０１２号
【０００７】
【発明が解決しようとする課題】
しかしながら、上述した表示装置では少ない数の発光素子で表示を可能にしているために低コストで製造可能であるが、演出効果としてはまだもの足りないという問題があった。
【０００８】
本発明は、上記問題点を解決するためのもので、画像を略球面上に表示することにより演出効果を高めて遊技者に独特の興趣を与える表示装置、それを用いた遊技機およびメダル貸出機を提供することを目的とする。
【０００９】
【課題を解決するための手段】
上記問題点を解決するために、本発明の表示装置は、遊技機で使用するメダルを貸し出すメダル貸出機または遊技機に用いられる表示装置であり、複数の発光素子が配列された回転部と、前記回転部を回転自在に軸支する固定軸と、前記固定軸を回転中心として前記回転部を回転させる回転駆動手段と、前記発光素子の点灯を前記回転部の回転位置に基づいて制御する制御手段とを備える表示装置において、前記回転部は、前記固定軸に関して対称であって円弧形状の側面を有する板形状の回転板を備え、この回転板の両側の前記円弧形状の側面には前記複数の発光素子が配列されていることを特徴とするものである。
【００１０】
また、本発明の表示装置は、前記回転部の背面側に配置された鏡部を備え、前記背面側において前記複数の発光素子が発した光が、前記鏡部によって反射されて画像の表示に用いられることを特徴とするものである。
【００１１】
また、前記鏡部は、互いに直交する２つの反射板によって形成されていることを特徴とするものである。
【００１２】
また、前記複数の発光素子は、前記回転板の一方の側面に配列された前記発光素子と、前記回転板の他方の側面に配列された前記発光素子とが異なる色を発光することを特徴とするものである。
【００１３】
本発明の遊技機は、表示装置用窓を備える筐体と、前記表示装置用窓から見える範囲内を前記発光素子が移動するように前記筐体に取り付けられた前述の表示装置とを有するものである。
【００１４】
本発明のメダル貸出機は、表示装置用窓を備える筐体と、前記表示装置用窓から見える範囲内を前記発光素子が移動するように前記筐体に取り付けられた前述の表示装置とを有するものである。
【００１５】
【発明の実施の形態】
本実施形態においては表示装置と、それを用いた遊技機およびメダル貸出機について説明を行う。なお、本発明は本実施形態に限定されるものではない。
【００１６】
図１に示すように、本発明を実施した表示装置２は、回転部１０と、この回転部１０を回転自在に軸支する固定軸１１と、回転部１０を固定軸１１を回転中心として回転駆動させる回転駆動部３０と、回転部１０の回転位置を検出する回転位置検出部４０と、表示装置２の全体を制御するトランスミット基板５０と、回転部１０の背面側に配置された鏡部６０とで構成されている。
【００１７】
回転部１０は、発光ダイオード（以下、ＬＥＤと略記する）群２０，２１を構成するＬＥＤ２０ａ〜２０ｏ，ＬＥＤ２１ａ〜２１ｏが両側の円弧形状の側面に配列された回転板１２と、この回転板１２を支持する支持板１３と、この支持板１３を回転自在にするために形成された軸受１４とで構成されている。軸受１４は、固定軸１１により軸支されている。また、支持板１３には、上面にレシーバ基板１９が一体に形成されている。
【００１８】
回転駆動部３０は、モータ３１とギア３２で構成されている。本実施形態ではモータ３１としてＤＣモータを用いた例について説明を行う。このモータ３１の駆動は、モータ３１の回転部に形成されたギア３２を介して軸受１４の外周面の上部に形成されたギア１５に伝達される。回転板１２は、支持板１３に形成された軸受１４により回転自在に保持されているので、モータ３１から軸受１４のギア１５に駆動が伝達されると回転板１２が回転駆動される。
【００１９】
回転位置検出部４０は、インデックスセンサー４１とインデックス４２とで構成されている。インデックスセンサー４１は固定軸１１に取り付けられており、軸受１４に形成されたインデックス４２を用いて、回転板１２が所定の回転位置（例えば、基準位置Ａ）にあることを検出する。インデックスセンサー４１は、例えばフォトダイオードとフォトトランジスタとによって構成される。回転板１２が所定の回転位置にあるときにのみ、フォトトランジスタがフォトダイオードから受ける光をインデックス４２が遮蔽することで、回転板１２の回転位置の検出を行なうことができる。また、検出される所定の回転位置を画像表示の開始位置として、回転板１２の回転周期を監視することもできる。
【００２０】
トランスミット基板５０には、赤外線トランスミッタ５４が設けられている。画像を表示するためにトランスミット基板５０内で生成される表示信号は、赤外線トランスミッタ５４によって赤外線の光信号に変換されて光ファイバ５５内を伝播し、回転部１０の軸受１４に内蔵された赤外線レシーバ１６に入射するように構成されているので、配線等によって回転部１０の回転運動が阻害されることはない。そして、回転部１０では、受信した表示信号に基づいて、ＬＥＤ群２０，２１の駆動が行なわれる。
【００２１】
鏡部６０は、互いに直交する２枚の反射板６１ａ，６１ｂで形成されており、観察方向において回転部１０の背面側となる位置に配置されている。回転部１０の背面側においてＬＥＤ群２０，２１が発した光は、鏡部６０で反射されるので、前面側においてＬＥＤ群２０，２１が発した光とともに、画像の表示に用いられる。
【００２２】
図２は、回転板１２の側面図を示す。このように回転板１２は、回転中心線ＣＬに関して対称であって、両側に円弧形状の側面を有する板形状に形成されている。ＬＥＤ群２０，２１は、この円弧形状の側面に設けられており、ＬＥＤ群２０を構成するＬＥＤ２０ａ〜２０ｏは一方の側面、ＬＥＤ群２０を構成するＬＥＤ２１ａ〜２１ｏは他方の側面に、側面の一端から他端に亘って配列されている。したがって、回転板１２の回転領域の外側から観察するとき、ＬＥＤ群２０とＬＥＤ群２１の両方を用いて表示が行なわれる。なお、ＬＥＤは一般の電球などに比べ、スイッチング時間が短いため、回転板１２を高速で回転運動させた場合でも、一回の回転の間に多数回スイッチングすることができる。したがって、より複雑な表示を行なうことができる。また、ＬＥＤ２０ａ〜２０ｏとＬＥＤ２１ａ〜２１ｏとは同じ色のＬＥＤを用いてもよいし、異なる色のＬＥＤを用いてもよい。異なる色のＬＥＤを用いる場合には、例えば、ＬＥＤ２０ａ〜２０ｏを赤色ＬＥＤとし、ＬＥＤ２１ａ〜２１ｏを青色ＬＥＤとする。また、本実施形態では、各々１６個のＬＥＤからなるＬＥＤ群２０，２１を用いたが、このＬＥＤの個数は適宜変更可能である。
【００２３】
このように表示装置２は、ＬＥＤ群２０，２１が配列された円弧形状の側面を有する回転板１２が回転駆動された時、略球面を表示面として描くように構成されている。この回転駆動により、人の視神経における残像現象を利用してＬＥＤ群２０，２１の軌跡によってカバーされる領域全体に亘る表示を行うことが可能である。ただし、残像現象を利用するので回転駆動は十分速く行う必要がある。表示にちらつきを感じさせないようにするためには、例えばこの回転駆動の周期を１２ｍｓ以下にすることが好ましい。
【００２４】
図３は、表示装置２の電気的構成を示すブロック図である。表示装置２には、トランスミット基板５０上に表示装置２全体の制御を行なう制御部５１が設けられており、電源部６０、モータ３１、及び回転位置検出部４０に接続されている。さらに、トランスミット基板５０上には、パラシリ変換部５３と、赤外線トランスミッタ５４とが設けられ、これらは制御部５１と接続されており、制御部５１により制御される。
【００２５】
パラシリ変換部５３は、制御部５１に制御されて、画像の表示信号をパラレル信号からシリアル信号に変換して出力する。シリアル信号に変換された表示信号は、赤外線トランスミッタ５４へ入力され、赤外線信号に変換されて光ファイバ５５を介して回転部１０の赤外線レシーバ１６に向けて送信される。
【００２６】
赤外線レシーバ１６は、光ファイバ５５を介して送信された赤外線信号を受信し、この赤外線信号を再びシリアル信号に変換する。シリパラ変換部１７は、支持板１３が備えるレシーバ基板１９上に設けられ、このシリアル信号を元の表示信号であるパラレル信号に変換する。このパラレル信号に変換された表示信号は、レシーバ基板１９上に設けられた駆動回路１８に入力され、駆動回路１８はこの表示信号に基づいて、ＬＥＤ群２０，２１を構成する個々のＬＥＤ２０ａ〜２０ｏ，ＬＥＤ２１ａ〜２１ｏを十分な電力で駆動する。なお、駆動回路１８はレシーバ基板１９を用いることなく直接支持板１３に形成してもよいし、回転板１２の側面に形成してもよい。
【００２７】
さらに、軸受１４は、固定軸１１から軸受１４に導電させる図示しない導電機構としてのスリップリングを備えており、電源部６０からトランスミット基板５０内の各部に供給された電力がスリップリングを介して回転部１０の各部に供給される。このため、駆動回路１８などへの電源供給を、回転部１０の回転に拘わらず、スリップリングを介して確実に行なうことができる。
【００２８】
なお、この導電機構はスリップリングに限られず、固定軸１１から軸受１４に導電させるものであれば他の機構であってもよい。例えば、非接触で電力を伝達する電磁誘導コイルを用いて、駆動回路１８などに電力を供給するようにしてもよい。これにより、非接触で電力を伝達する電磁誘導コイルを介して駆動回路１８に電源供給が行なわれるので、回転部１０の回転によって阻害されることなく、レシーバ基板１９上に設けられた駆動回路１８などへの電源供給を行なうことができる。
【００２９】
また、シリアル信号に変換された表示信号が、トランスミット基板５０から回転部１０に設けられた赤外線レシーバ１６へ光ファイバ５５を介して赤外線信号で伝達されるとしたが、シリアル信号に変換された表示信号も前述したスリップリングを介して駆動回路１８に伝達してもよい。この場合、変換部としての赤外線トランスミッタ５４、光ファイバ５５、および再変換部としての赤外線レシーバ１６は不要となる。
【００３０】
また、制御部５１は、例えば中央演算装置、記憶装置、記憶装置に記憶されたプログラム、および制御する各部に対するインターフェースを備えて構成され、ＬＥＤ群２０，２１の点灯を回転板１２の回転位置および表示信号に基づいて制御する。このため、制御部５１は、回転駆動部３０、回転位置検出部４０、パラシリ変換部５３、赤外線トランスミッタ５４、赤外線レシーバ１６、および駆動回路１８と信号のやり取りを行なっている。なお、制御部５１はロジック回路および制御する各部に対するインターフェースによって構成することもできる。
【００３１】
以下、上記のように構成された表示装置２の作用について説明を行なう。先ず制御部５１は、電源部６０からの電源供給を受けて回転駆動部３０のモータ３１を駆動し、回転位置検出部４０から所定の回転位置と回転周期の情報を取得する。制御部５１は、この位置情報に基づいてパラシリ変換部５３を制御することにより、表示信号をパラレル信号からシリアル信号に変換して出力させる。本実施形態においては、ＬＥＤ群２１が基準位置Ａ、かつＬＥＤ群２０が基準位置Ｂにあるときに回転位置検出部４０からの信号を制御部５１が検出する。
【００３２】
上記パラレル信号の一例を、図４および図５のタイミングチャート図に示す。図４は、ＬＥＤ群２０の点灯制御に用いられるものである。図４（Ａ）は、「ＢＩＧ」という文字列を表示する場合において、回転板１２の回転位置に対応するＬＥＤ２０ａ〜２０ｏの点灯位置を示している。
【００３３】
図４（Ｂ）は、回転板１２の回転位置に対応させて各ＬＥＤ２０ａ〜２０ｏを点灯させる表示信号のタイミングチャート図である。「ＢＩＧ」の文字列の表示は、例えば、回転位置Ｐ１ではＬＥＤ２０ｉ〜２０ｍを点灯とし、回転位置Ｐ２ではＬＥＤ２０ｅ〜２０ｇ及びＬＥＤ２０ｉ〜２０ｋを点灯とし、回転位置Ｐ３ではＬＥＤ２０ｄ、ＬＥＤ２０ｉ、及びＬＥＤ２０ｌを点灯とするというように行なわれる。
【００３４】
図５は、ＬＥＤ群２１の点灯制御に用いられるパラレル信号の例である。図５（Ａ）は、例えばＬＥＤ群２０と同様に「ＢＩＧ」と言う文字列を表示する場合において、回転板１２の回転位置に対応するＬＥＤ２１ａ〜２１ｏの点灯位置を示している。図５（Ｂ）については、図４（Ｂ）と同様であるので説明を省略する。
【００３５】
このようなＬＥＤ２０ａ〜２０ｏ，ＬＥＤ２１ａ〜２１ｏの点灯制御では、例えば、図４（Ａ）及び図５（Ａ）のように表示する場合には、回転板１２の回転の１周期を５０分割した時間でスイッチングを行い、表示パターンを変化させることにより残像効果で画像を表示させている。なお、本実施形態では周期を５０分割した時間でＬＥＤのスイッチングを行なっているが、これに限るものではなく、例えば、周期を１００分割した時間でＬＥＤのスイッチングを行なってもよい。
【００３６】
このパラレル信号は、パラシリ変換部５３によってシリアル信号に変換される。そして、このシリアル信号は、赤外線トランスミッタ５４に送信され、赤外線信号に変換されて、光ファイバ５５を介して回転部１０の赤外線レシーバ１６に送信される。
【００３７】
赤外線レシーバ１６は、受信した赤外線信号をシリアル信号に再変換してシリパラ変換部１７に送信する。シリパラ変換部１７は、このシリアル信号をパラレル信号に変換する。このパラレル信号は、図４（Ｂ）及び図５（Ｂ）に示したものと同様であり、このパラレル信号が駆動回路１８に送信される。駆動回路１８は、このパラレル信号に基づいて対応する回転位置のＬＥＤ２０ａ〜２０ｏ，ＬＥＤ２１ａ〜２１ｏを点灯させる。
【００３８】
これにより、図６に示すように、略球面上に文字列「ＢＩＧ」が表示される。このとき、ＬＥＤ群２０とＬＥＤ群２１とによる表示は重ね合わされているので、従来の一つのＬＥＤ群による表示と比べると、本実施例では半分の回転速度により従来と同等な表示が可能となる。また、ＬＥＤ群２０とＬＥＤ群２１とで異なる色を表示したり、異なる文字列や図柄を表示するようにすれば、より多彩な表示が可能となる。
【００３９】
鏡部６０は、観察方向において回転部１０の背面側に設置されている。図７は、表示装置２を上方から見た概略図である。鏡部６０は、観察方向に対して４５度をなす２つの反射板６１ａ，６１ｂが互いに直交するように配置されているため、例えばＬＥＤ群２０が回転部１０の背面側において発した光は、この鏡部６０によって同図に示す経路をたどるように反射される。このとき、回転板１２は中心線ＣＬ関して対称な形状であるので、この反射光は、同図に示すようにＬＥＤ群２１から発光された直接光と重なるようにして進む。鏡部６０をこのように形成して配置することで、回転部１０の背面側で発光したＬＥＤ群２０またはＬＥＤ群２１の光も、画像の表示において有効に用いることができる。このように、回転部１０の背面側からの反射光と、前面側からの直接光とを混ぜ合わせることができるので、単に光量を増大させることが可能となることの他、ＬＥＤ群２０とＬＥＤ群２１とで異なる色のＬＥＤを用いることにより多様な色彩の表示が可能となる。
【００４０】
なお、本実施形態では、回転部１０の前面側と背面側で同じ文字列を表示し、それらが鏡部６０での反射によって重なり合うように構成したが、前面側と背面側で異なる文字列や図柄を表示するようにしてもよい。また、本実施形態では、略Ｖ字型をした鏡部６０を用いたが、この形状は適宜のものでよく、例えば平面板形状や半円筒形状としてもよい。これらの場合、前面側で観察される文字列等の表示と反射鏡からのＬＥＤ群の表示の組合わせにより表示のバリエーションが一層高まる利点がある。
【００４１】
また、本実施形態においては、ＬＥＤを点灯または非点灯の２段階のみに制御する例で説明を行なったが、これに限るものではなく、制御部５１がＬＥＤの点灯を複数段階の明るさとなるように制御して、微妙なニュアンスの表示を行なうようにしてしてもよい。
【００４２】
さらに、本実施形態においては、モータ３１としてＤＣモータを用いたが、これに限るものではなく、例えばモータ３１としてパルスモータを用いてもよい。この場合、制御部５１がパルスモータの速度を制御するので、回転位置検出部４０から所定の回転位置（表示開始位置）の情報のみを取得すればよい。
【００４３】
次に、表示装置２を用いた遊技機としてスロットマシン７０の説明を行なう。図８は、スロットマシン７０の外観図である。スロットマシン７０は、四角箱状の筐体７１を有し、筐体７１の中央部及び上部には、遊技者側に観察される表示部７２が形成されている。この表示部７２の中央には、３個の回転リール７３ａ，７３ｂ，７３ｃの図柄を見ることができる図柄表示窓７４と、表示装置用窓７５とが設けられている。そして、表示装置２は、表示装置用窓７５から見える範囲内をＬＥＤ群２０，２１が移動し、その奥に鏡部６０を配置するように筐体７１に取り付けられている。
【００４４】
ベットボタン７６は、回転リール７３ａ〜７３ｃの前方に配置され、選択するゲームの種類に応じて貯留メダル数を減じて、メダル投入に代える。清算ボタン７７は、ベットボタン７６の前方に配置され、貯留したメダルを払い出す。払い出されたメダルは、メダル払出口７８から放出され、メダル受皿７９に溜められる。
【００４５】
スタートレバー８０は、清算ボタン７７の右側に配置され、遊技メダルの投入若しくはベットボタン７６の押下を条件に、回転リール７３ａ〜７３ｃの駆動を開始させる。ストップボタン８１ａ〜８１ｃは、回転リール７３ａ〜７３ｃの駆動を停止させるためのものである。各回転リール７３ａ〜７３ｃは、合成樹脂からなる回転ドラムと、この回転ドラムの周囲に貼付されるテープ状のリールテープを備えている。このリールテープの外周面には、複数個の図柄が表示されている。また、ストップボタン８１ａ〜８１ｃの右側には、メダル投入口８２が設けられている。
【００４６】
このスロットマシン７０において表示装置２は、例えば、「ビックボーナス」の当選役が内部入賞したとき、それを遊技者に報知するために、「ＢＩＧ」などの文字列が表示されるようにしてもよいし、また、内部入賞した当選役を構成する図柄が表示されるようにしたり、当選役を入賞させるために推奨するストップボタン８１ａ〜８１ｃの操作順序が表示されるようにしてもよい。
【００４７】
次に、表示装置２を用いたメダル貸出機９０について説明を行なう。図９は、メダル貸出機９０の外観図である。このメダル貸出機９０は、筐体９１を備えており、その正面の下方に表示装置用窓９２が設けられている。表示装置２は、表示装置用窓９２から見える範囲内をＬＥＤ群２０，２１が移動し、その奥に鏡部６０を配置するように筐体９１に取り付けられている。
【００４８】
メダル貸出機９０の筐体９１の正面部には、、表示装置用窓９２の上方に紙幣投入口９３、メダル払出口９４などが設けられている。メダル払出口９４は、後述するようにメダル搬送装置の終端部に位置し、これにより、払い出されたメダルを図示しないメダル溜に払い出すためのものである。
【００４９】
また、メダル貸出機９０は、図示しないが、紙幣判別機と、コンピュータと、メダルホッパと、メダル搬送機とをその内部に備えている。紙幣判別機は、紙幣投入口９３から投入された紙幣９５の種類を判別し、その判別結果をコンピュータに送信するものである。コンピュータは、この投入された金額に応じたメダル数を演算し、その演算結果をメダルホッパに送信する。メダルホッパは、投入された金額に応じた枚数のメダルを一枚ずつ排出するものである。メダル搬送装置は、メダルホッパとメダル払出口との間を結んでいる。
【００５０】
このメダル貸出機９０において表示装置２は、例えば、投入された紙幣９５の金額に相当するメダルの数量などを表示する。
【００５１】
【発明の効果】
以上説明したように、本発明の表示装置によれば、回転中心に関して対称形状な回転板の円弧形状の側面にＬＥＤを配列することで画像を略球面上に立体的に表示することが可能であり、また回転板の両側の円弧形状の側面にＬＥＤを配列することで様々な表示形態が実現できる。このため、遊技機や、遊技機にて使用されるメダルを貸し出すメダル貸出機にこの表示装置を用いることにより、遊技者に対してアピール度や演出効果が向上し、独特の興趣を遊技者に与えることができる。
【図面の簡単な説明】
【図１】本発明の表示装置の概略構成を示す斜視図である。
【図２】発光ダイオードが配置された回転板の形状を説明する側面図である。
【図３】本発明の表示装置の電気的構成を示すブロック図である。
【図４】表示信号であるパラレル信号のタイミングチャート図である。
【図５】表示信号であるパラレル信号のタイミングチャート図である。
【図６】表示装置により表示される表示面のイメージ図である。
【図７】表示装置を上方から見た概略図である。
【図８】表示装置を用いたスロットマシンの外観斜視図である。
【図９】表示装置を用いたメダル貸出機の外観斜視図である。
【符号の説明】
２  表示装置
１０  回転部
１１  固定軸
１２  回転板
１３  支持板
１４  軸受
１９  レシーバ基板
２０，２１  発光ダイオード群
３０  回転駆動部
３１  モータ
４０  回転位置検出部
５０  トランスミット基板
６０  鏡部
６１ａ，６１ｂ  反射板
７０  スロットマシン
７５  表示装置用窓
９０  メダル貸出機
９２  表示装置用窓
【図１】
2004254946.tif 000003
【図２】
2004254946.tif 000004
【図３】
2004254946.tif 000005
【図４】
2004254946.tif 000006
【図５】
2004254946.tif 000007
【図６】
2004254946.tif 000008
【図７】
2004254946.tif 000009
【図８】
2004254946.tif 000010
【図９】
2004254946.tif 000011